(57)【要約】【課題】広い幅員の道路や駐車場等での広い場所での融雪作業はもとより、狭隘地での融雪作業も効率よく行うことができるし、同時に複数個所での融雪作業も可能にした多機能型融雪装置を提供する。【解決手段】融雪車１は自走式の車両本体２に融雪機構３を搭載して構成してある。融雪機構３は、融雪槽５、融雪用熱源６及び温水噴射手段８から構成してある。融雪車１から離間可能に併用する融雪専用槽１１は、雪を融解する槽本体１２と、槽本体１２内に温水噴射手段８から温水を供給する係脱可能な温水供給管１３と、槽本体１２内の融雪水を排水ポンプ１６を介して融雪機構３側に排水するための係脱可能な融雪水排出管１５とから構成してある。【選択図】図１
2008025204.tif 000002
【特許請求の範囲】
【請求項１】
自走式又は牽引式の車両本体に、融雪槽、融雪用熱源及び温水噴射手段からなる融雪機構を搭載して構成してなる融雪車と、該融雪車から離間可能に併用する融雪専用槽とからなり、該融雪専用槽は槽本体と、該層本体内に前記温水噴射手段から温水を供給するための温水供給管と、前記槽本体内の融雪水をポンプを介して前記融雪機構側に排水するための融雪水排出管とから構成してなる多機能型融雪装置。
【請求項２】
自走式又は牽引式の車両本体に、融雪槽、融雪用熱源及び温水噴射手段からなる融雪機構を搭載して構成してなる融雪車と、該融雪車から離間可能に併用する融雪専用槽とからなり、該融雪専用槽は槽本体と、該槽本体内に温水を噴射するための噴射ノズルと、該噴射ノズルに前記温水噴射手段から温水を供給するための温水供給管と、前記槽本体内の融雪水をポンプを介して前記融雪機構側に排水するための融雪水排出管とから構成してなる多機能型融雪装置。
【請求項３】
前記温水供給管は、前記温水噴射手段又は槽本体と係脱可能に接続してあることを特徴とする請求項１又は２記載の多機能型融雪装置。
【請求項４】
前記融雪水排出管は、前記融雪槽又は該融雪槽に設けた排水管と係脱可能に接続してあることを特徴とする請求項１又は２記載の多機能型融雪装置。
【請求項５】
前記ポンプは、前記融雪機構に組付けた吸引ポンプである請求項１又は２記載の多機能型融雪装置。
【請求項６】
前記融雪専用槽は、牽引又は吊下げ可能に構成してあることを特徴とする請求項１又は２記載の多機能型融雪装置。
【請求項７】
前記融雪専用槽は、前記融雪車に搭載可能であることを特徴とする請求項１又は２記載の多機能型融雪装置。
【発明の詳細な説明】
【技術分野】
【０００１】
本発明は、幅員のある道路、駐車場等比較的広い場所の積雪だけでなく、融雪車が入れない狭隘な場所の積雪も現場で融雪することを可能にした多機能型融雪装置に関する。
【背景技術】
【０００２】
融雪装置には地上設置型、埋設型、車両搭載型の各種のものがあり、いずれも融雪槽と、融雪用熱源及び温水噴射手段とから構成してある。そして、道路、駐車場等比較的広い場所の除雪と融雪を行う場合は、自走式の融雪車とロータリー車を併用する方法、仮設型の業務用融雪機とショベルローダーを併用する方法が行われている。また、走行しながら或は場所を移動しながら融雪する融雪装置として、本件出願人は先に車両搭載型融雪装置を発明して特許を取得している（特許文献１）。
【特許文献１】第２７９９９７０号特許公報
【発明の開示】
【発明が解決しようとする課題】
【０００３】
上述した従来技術はいずれも車両が走行可能な幅員の道路、及び公園や駐車場等のように広い敷地での融雪を対象としており、狭隘地での融雪をも目的にするものでない点で未解決の問題があった。また、融雪車とロータリー車を併用する方法及び業務用融雪機とショベルローダーを併用する方法は、ロータリー車、ショベルローダーの購入費用が嵩むという欠点や、運転者に加えて操作者が必要で人件費が嵩むという欠点がある。また、狭隘地での除雪作業には小型の除雪機やショベルローダーを用いるが、運び出した雪を融雪機に投入するためのショベルローダーが必要であるし、除雪と融雪の作業が分業になるために作業効率が悪いという欠点がある。
【０００４】
本発明は上述した従来技術の問題点に鑑みなされたもので、従来行われている広い幅員の道路、駐車場等での広い場所での融雪作業はもとより、狭隘地での融雪作業も効率よく行うことができるし、同時に複数個所での融雪作業も可能にした多機能型融雪装置を提供することを目的とする。
【課題を解決するための手段】
【０００５】
上述した課題を解決するために構成した請求項１に係る本発明の手段は、自走式又は牽引式の車両本体に、融雪槽、融雪用熱源及び温水噴射手段からなる融雪機構を搭載して構成してなる融雪車と、該融雪車から離間可能に併用する融雪専用槽とからなり、該融雪専用槽は槽本体と、該層本体内に前記温水噴射手段から温水を供給するための温水供給管と、前記槽本体内の融雪水をポンプを介して前記融雪機構側に排水するための融雪水排出管とからなる。
【０００６】
また、請求項２に係る本発明を構成する手段は、自走式又は牽引式の車両本体に、融雪槽、融雪用熱源及び温水噴射手段からなる融雪機構を搭載して構成してなる融雪車と、該融雪車から離間可能に併用する融雪専用槽とからなり、該融雪専用槽は槽本体と、該槽本体内に温水を噴射するための噴射ノズルと、該噴射ノズルに前記温水噴射手段から温水を供給するための温水供給管と、前記槽本体内の融雪水をポンプを介して前記融雪機構側に排水するための融雪水排出管とからなる。
【０００７】
そして、前記温水供給管は、前記温水噴射手段又は槽本体と係脱可能に接続するとよい。
【０００８】
また、前記融雪水排出管は、前記融雪槽又は該融雪槽に設けた排水管と係脱可能に接続するとよい。
【０００９】
また、前記ポンプは、前記融雪機構に組付けた吸引ポンプにするとよい。
【００１０】
更に、前記融雪専用槽は、牽引又は吊り下げ可能に構成するとよい。
【００１１】
また、前記融雪専用槽は、前記融雪車に搭載可能に構成するとよい。
【発明の効果】
【００１２】
本発明は上述の構成にしたから、下記の諸効果を奏する。
（１）融雪車に融雪専用槽を離間可能に併用する構成にしたから、幅員のある道路、駐車場等での広い場所での融雪作業は勿論のこと、狭隘地での融雪作業も効率よく行うことができる。
（２）現場で融雪し、融雪水は融雪車を経て排出するから、融雪専用槽は貯水のために大型にする必要はなく、狭隘地での作業に好適な大きさに設計できる。
（３）融雪車と融雪専用槽により同時に複数箇所での融雪作業が可能であるから、作業性に優れている。
（４）複数の融雪専用槽を各所に配置しておくことにより、融雪車は巡回しながら融雪作業を行うことができる。
（５）複数の融雪専用槽を一箇所に集結して連結することにより、大量の積雪を一箇所で融雪する事態に対応することができる。
（６）温水供給管は温水噴射手段又は槽本体と係脱可能に接続し、融雪水排出管は、融雪槽又は該融雪槽に設けた排水管と係脱可能に接続する構成にすることにより、融雪専用槽は融雪車と別個に移送することができるし、狭隘地に搬入する作業も行い易く作業性に優れている。
（７）ポンプは、融雪機構に組付けた吸引ポンプにすることにより、融雪専用槽を軽量化できるし、融雪機構と一体に整備点検ができるのでメンテナンス性に優れている。
（８）融雪専用槽は、牽引又は吊り下げ可能に構成することにより、融雪車が進入困難な狭隘地での融雪作業も行うことができる。
（９）融雪専用槽は融雪車に搭載可能に構成することにより、一体に移動が可能であるし、車庫及び駐車場のスペースを節減できる。
【発明を実施するための最良の形態】
【００１３】
以下、本発明の実施の形態を図面に基づき詳述する。図１は本発明の第１の実施の形態を示す。図において、１は自走式の融雪車、２は該融雪車１を構成する車両本体で、該車両本体２はシャシー２Ａ、該シャシー２Ａに搭載した走行用駆動機構、前記シャシー２Ａに軸支されて該走行用駆動機構により回転駆動されるタイヤ２Ｂ、２Ｂ、・・、車両を運転操作するためにシャシー２Ａに搭載した運転室２Ｃとから大略構成してあり、従来のトラック等の貨物車両と基本的に同じ構成からなる。
【００１４】
３は前記車両本体２の後部に搭載した融雪機構を示す。４は該融雪機構３を構成し、鋼材を組立てた支持枠体、５は該支持枠体４に設けた融雪槽で、該融雪槽５は有底の箱型に構成してあり、開放した上部にはゴミ取り網５Ａを設け、また融雪水を排出するための排水管５Ｂが接続してある。
【００１５】
６は前記融雪槽５と共に支持枠体４に設けた融雪用熱源で、該融雪用熱源６は融雪槽５の下側に配設した燃焼室６Ａと、該燃焼室６Ａに燃焼ガスを吹き込む灯油バーナー６Ｂとから構成してあり、該灯油バーナー６Ｂには燃料タンク７から燃料の灯油が供給するようになっている。
【００１６】
８は温水噴射手段を示し、該温水噴射手段８は融雪槽５に連通した噴射ポンプ８Ａ、該噴射ポンプ８Ａに接続した温水パイプ８Ｂ、融雪槽５の内側上方に配管したノズル支持管８Ｃ、該ノズル支持管８Ｃに設けた複数の噴射ノズル８Ｄ、８Ｄ、・・及び前記噴射ポンプ８Ａを駆動するための発電機８Ｅとから構成してある。そして、温水噴射手段８を構成する噴射ポンプ８Ａ、発電機８Ｅ及び融雪用熱源６の灯油バーナー６Ｂは制御盤９によってその作動を制御する構成にしてある。
【００１７】
上述した融雪機構３は従来の融雪装置と基本的に異なるところはなく、除雪した雪を融雪槽５に投入し、燃焼室６Ａに灯油バーナー６Ｂから高温の燃焼ガスを吹き込むことにより生成した高温水を噴射ポンプ８Ａにより各噴射ノズル８Ｄから融雪槽５内に向けて噴射することにより融雪し、融雪水は排水管５Ｂから図示しない送水ホースを介して外部の排水溝やマンホール等に放出するものである。
【００１８】
他方、１１は融雪車１と共に多機能型融雪装置を構成する融雪専用槽を示す。１２は該融雪専用槽１１を構成する槽本体で、該槽本体１２は長方形の底板１２Ａと、該底板１２Ａの四辺から起立する側板１２Ｂ、１２Ｂ及び１２Ｃ、１２Ｃとから上方が開口した箱型に構成してある。そして、槽本体１２の上端には４個の吊下げ用フック１２Ｄ、１２Ｄ、・・を設けてあり、クレーンで吊上げることによって融雪車１の入れない狭隘地にも移動可能になっている。
【００１９】
１３は槽本体１２に融雪機構３から温水を供給するための温水供給管で、該温水供給管１３は収納可能なように可撓性を有するゴム製ホースからなっている。そして、温水供給管１３は、先端側１３Ａを槽本体１２に係脱可能に接続し、基端側を温水噴射装置８の噴射ポンプ８Ａに設けた分岐管８Ｂ１に電磁式開閉弁１４を介して接続することにより、融雪車１と分離可能に構成すると共に、融雪車１と融雪専用槽１１による融雪作業を単独に或いは併用して稼動できるようにしてある。
【００２０】
また、１５は槽本体１２内の融雪水を融雪機構３側に排水するための融雪水排出管で、該融雪水排出管１５は収納可能なように可撓性を有するゴム製ホースからなっており、その基端側１５Ａは槽本体１２内に設けた排水ポンプ１６に係脱可能に接続し、先端側１５Ｂは融雪機構３の排水管５Ｂに係脱可能に接続することにより、融雪車１と分離可能に構成してある。
【００２１】
本実施の形態からなる多機能型融雪装置は上述の構成からなるが、次にその作用について説明する。幅員が通常の幅で融雪車１が走行可能な道路や広い駐車場は従来の除雪・融雪作業と同様に融雪車１により移動しながら融雪作業を行う。他方、融雪車１を乗り入れることのできない幅員の狭い道路や狭隘地を除雪し、融雪する場合は、融雪専用槽１1をクレーンで吊上げて狭隘な除雪場所に仮設し、融雪車１との間に温水供給管１３及び融雪水排出管１５を接続する。小型ショベルローダーで積雪を槽本体１２に投入し、融雪車１の温水噴射手段８から高温水を供給することにより、投入した雪を融解する。融雪水は排水ポンプ１６により吸引し、融雪水排出管１５を介して融雪機構３の排水管５Ｂに排出する。
【００２２】
上述した融雪専用槽１１による融雪作業は、融雪車１自体による融雪作業と同時に平行して行うことも可能であるし、複数基の融雪専用槽１１、１１を同所に設置して同時に融雪作業を行うことや、或いは異なる場所に設置して融雪車１を巡回させながら融雪作業を行うことも可能である。融雪作業が終了したら、温水供給管１３及び融雪水排出管１５を融雪専用槽１１から離脱させて融雪車１に格納し、融雪車１によって或いは他のトラック等の牽引車によって融雪専用槽１１を牽引して次の融雪現場に移動する。
【００２３】
次に、図２に第２の実施の形態に係る多機能型融雪装置を示す。なお、本実施の形態の構成要素において上述した第１の実施の形態の構成要素と同一の構成要素には同一の符号を付して援用し、その説明を省略する。図において、２１は融雪車１と共に多機能型融雪装置を構成する融雪専用槽を示す。２２は該融雪専用槽２１を構成する槽本体で、該槽本体２２は長方形の底板２２Ａと、該底板２２Ａの四辺から起立する側板２２Ｂ、２２Ｂ（但し、図示せず。）及び２２Ｃ、２２Ｃとから上方が開口した箱型に構成してあり、上部開口は槽本体２２に蝶着した蓋体２２Ｄによって開閉可能になっている。そして、槽本体２２には上端に第１の実施の形態と同様に４個の吊下げ用フックを設けると共に、下面には牽引走行用の４個のタイヤ２２Ｅ、２２Ｅ、・・を設けることにより、クレーンによる吊上げや車両による牽引によって移動可能に構成してある。２３は槽本体２２の開口した上部に設けたゴミ取り網である。
【００２４】
２４は槽本体２２の内側上方に配管したノズル支持管、２５、２５、・・は該ノズル支持管２４に設けた複数の噴射ノズルで、該噴射ノズル２５はノズル支持管２４を介して噴射ポンプ８Ａから供給され温水を槽本体２２内に噴射して雪を溶解する。また、槽本体２２の蓋体２２Ｄの裏面にもノズル支持管２６を配設して複数の噴射ノズル２５が設けてある。
【００２５】
本実施の形態からなる多機能型融雪装置は上述の構成からなるもので、その作用は第１の実施の形態に係る多機能型融装置と基本的には同じであり、幅員が通常の幅の道路や広い駐車場は従来の除雪・融雪作業と同様に融雪車１により移動しながら融雪作業を行う。他方、融雪車１を乗り入れることのできない幅員の狭い道路や狭隘地を除雪し、融雪する場合は、融雪専用槽２1をクレーンで吊上げるか、小型ショベルローダー等で牽引して狭隘な除雪場所に仮設し、融雪車１との間に温水供給管１３及び融雪水排出管１５を接続する。小型ショベルローダーで積雪を槽本体２２に投入し、融雪車１の温水噴射手段８から温水を供給して噴射ノズル２５から高温水を噴射することにより、投入した雪を融解し、融雪水排出管１５を介して融雪機構３側の排水管５Ｂに排出する。
【００２６】
このように、本実施の形態に係る多機能型融雪装置によれば、槽本体２２内に向けて複数の噴射ノズル２５から温水を噴射する構成にしてあるから、水圧によって雪の溶解を促進し、融雪作業の効率化を高めることができる。
【００２７】
なお、本実施の形態では融雪専用槽１１、２１に排水ポンプ１６を搭載したが、排水ポンプとして吸引ポンプを車両本体２に搭載してもよい。このようにすることにより、融雪専用槽１１、２１を軽量化できるし、融雪機構３と一体に整備点検ができるのでメンテナンス性に優れている。
【００２８】
また、融雪専用槽２１を構成する槽本体２２は４個のタイヤ２２Ｅを設けて牽引による移動を可能にしてあるが、例えばタイヤ２２Ｅに換えて橇を設けてもよいものである。
【００２９】
更に、融雪専用槽１１、２１は、小型化して融雪車１に搭載可能に構成してもよい。このように構成することにより、一体に移動が可能で作業を効率化できるし、車庫及び駐車場のスペースを節減でき、また牽引走行のための特殊免許も不要にできる。
【図面の簡単な説明】
【００３０】
【図１】本発明の第１の実施の形態に係る多機能型融雪装置の全体構成を示す説明図である。
【図２】第２の実施の形態に係る多機能型融雪装置の全体構成を示す説明図である。
【符号の説明】
【００３１】
１            融雪車
２            車両本体
３            融雪機構
５            融雪槽
６            融雪用熱源
８            温水噴射手段
１１、２１    融雪専用槽
１２、２２    槽本体
１３          温水供給管
１５          融雪水排出管
２５          噴射ノズル
【図１】
2008025204.tif 000003
【図２】
2008025204.tif 000004